(57)【要約】【課題】本発明は、携帯型車両用充電装置に関するもので、使用者の使い勝手を良くすることを目的とするものである。【解決手段】そして、この目的を達成するために本発明は、本体ケース１と、この本体ケース１内に設けた充電制御部１８と、この充電制御部１８の電源側に接続した入力配線２と、前記充電制御部１８の出力側に接続した出力配線３とを備え、前記充電制御部１８に、プロジェクタ１３と、ＰＬＣ（パワー・ライン・コミュニケーション）通信制御部２０とを接続し、この充電制御部１８は、前記ＰＬＣ通信制御部２０によって、前記入力配線２を介して入信した情報を、前記プロジェクタ１３に出力後、前記出力配線３側に充電電流を供給する構成とした。【選択図】図３
2012044342.tif 000002
【特許請求の範囲】
【請求項１】
本体ケースと、この本体ケース内に設けた充電制御部と、この充電制御部の電源側に接続した入力配線と、前記充電制御部の出力側に接続した出力配線とを備え、前記充電制御部に、表示部と、ＰＬＣ（パワー・ライン・コミュニケーション）通信制御部とを接続し、この充電制御部は、前記ＰＬＣ通信制御部によって、前記入力配線を介して入信した情報を、前記表示部に出力後、前記出力配線に充電電流を供給する構成とした携帯型車両用充電装置。
【請求項２】
充電制御部に、メモリを接続し、この充電制御部は、前記ＰＬＣ通信制御部によって、前記入力配線を介して入信した情報を、前記メモリに記憶させ、このメモリに記憶させた情報を、表示部に出力後、前記出力配線側に充電電流を供給する構成とした請求項１に記載の携帯型車両用充電装置。
【請求項３】
表示部として、プロジェクタを設けた請求項１、または２に記載の携帯型車両用充電装置。
【請求項４】
本体ケース内には、携帯型電池を設けた請求項１から３のいずれか一つに記載の携帯型車両用充電装置。
【発明の詳細な説明】
【技術分野】
【０００１】
本発明は、携帯型車両用充電装置に関するものである。
【背景技術】
【０００２】
従来の携帯型車両用充電装置は、本体ケースと、この本体ケース内に設けた充電制御部と、この充電制御部の電源側に接続した入力配線と、前記充電制御部の出力側に接続した出力配線とを備えた構成となっていた（例えば下記特許文献１）。
【０００３】
すなわち、入力配線を自宅や、充電ステーションのコンセントに接続し、また出力配線を自動車の自動車用電池に接続し、これにより自動車用電池への充電を行うようになっていた。
【先行技術文献】
【特許文献】
【０００４】
【特許文献１】特開２０００−００４５４２号公報
【発明の概要】
【発明が解決しようとする課題】
【０００５】
電気自動車の普及のためには、自宅だけではなく、出先でも、適宜充電が行えるようにすることが重要で、そのためには充電ステーションが、各所に、数多く設置されることが重要となる。
【０００６】
しかしながら、充電ステーション利用による充電時間は長く、しかも充電料金は、ガソリンに比べると極めて低額となるので、十分な利益を上げる見込みが立たず、その結果として、この充電ステーションが数多く設置されることにはなりにくかった。
【０００７】
したがって、電気自動車の利用者は、出先ではタイミングよく充電することはできず、利便性の悪いものとなっていた。
【０００８】
そこで本発明は、電気自動車利用者の利便性を良くすることを目的とするものである。
【課題を解決するための手段】
【０００９】
そして、この目的を達成するために本発明は、本体ケースと、この本体ケース内に設けた充電制御部と、この充電制御部の電源側に接続した入力配線と、前記充電制御部の出力側に接続した出力配線とを備え、前記充電制御部に、表示部と、ＰＬＣ（パワー・ライン・コミュニケーション）通信制御部とを接続し、この充電制御部は、前記ＰＬＣ通信制御部によって、前記入力配線を介して入信した情報を、前記表示部に出力後、前記出力配線側に充電電流を供給する構成とし、これにより所期の目的を達成するものである。
【発明の効果】
【００１０】
以上のように本発明は、本体ケースと、この本体ケース内に設けた充電制御部と、この充電制御部の電源側に接続した入力配線と、前記充電制御部の出力側に接続した出力配線とを備え、前記充電制御部に、表示部と、ＰＬＣ通信制御部とを接続し、この充電制御部は、前記ＰＬＣ通信制御部によって、前記入力配線を介して入信した情報を、前記表示部に出力後、前記出力配線に充電電流を供給する構成としたものであるので、電気自動車利用者の利便性を良くすることができる。
【００１１】
すなわち、本発明における充電制御部は、前記ＰＬＣ通信制御部によって、前記入力配線を介して入信した情報を、前記表示部に出力後、前記出力配線に充電電流を供給する構成としたものであるので、充電ステーション利用者に、各種情報を確認いただくことができるようになる。
【００１２】
このため、例えばスーパーマーケットやその他の商店では、販促データ（例えば特売情報等）を確実に確認いただくことができるようになるので、充電ステーションを積極的に増設することにもつながり、この結果として電気自動車利用者の利便性を良くすることができることになる。
【図面の簡単な説明】
【００１３】
【図１】本発明の一実施形態にかかる携帯型車両用充電装置の利用形態を示す図
【図２】同携帯型車両用充電装置の斜視図
【図３】同制御ブロック図
【図４】同動作フローチャート
【図５】同動作フローチャート
【図６】同携帯型車両用充電装置の他の使用例を示す図
【発明を実施するための形態】
【００１４】
以下、本発明の一実施形態を、添付図面を用いて説明する。
【００１５】
図１において、１は携帯型車両用充電装置の本体ケースで、この本体ケース１からは入力配線２と、出力配線３が引き出されている。
【００１６】
また、入力配線２の先端に設けたプラグ４は、スーパーマーケット５の駐車場に設けた充電ステーションのコンセント６に差し込まれ、着脱自在ではあるが、電気的、機械的に接続されている。
【００１７】
さらに、出力配線３の先端に設けたプラグ７は、自動車８のコンセント９に差し込まれ、着脱自在ではあるが、電気的、機械的に接続されている。
【００１８】
つまり、この図１は、自動車８を、スーパーマーケット５の駐車場１０に駐車中に、自動車８内の自動車用電池（図示せず）に充電しようとしている状態を示している。
【００１９】
なお、スーパーマーケット５の駐車場１０に設けたコンセント６には、電力配線１１が接続され、またこの電力配線１１には制御装置１２も接続され、この制御装置１２内にはＰＬＣ通信制御部（図３の２０）が設けられている。
【００２０】
図２は携帯型車両用充電装置を示し、その本体ケース１の上面には、表示部の一例としてプロジェクタ１３が設けられ、操作ボタン１４を操作すれば、このプロジェクタ１３から、映像が照射されるようになっている。なお、この駐車場には、スクリーン（図示せず）が配置されており、今回はこのスクリーンに映像が映し出されるようになっている。
【００２１】
図３は、携帯型車両用充電装置の制御ブロックを示しており、この携帯型車両用充電装置自体として、その本体ケース１内に大容量の携帯型電池１５を備えている。
【００２２】
したがって、前記スーパーマーケット５の駐車場に設けたコンセント６からのＡＣ電圧は、ＡＣ／ＤＣ変換器１６でＤＣ電圧に変換後、先ずは携帯型電池１５に充電され、次に携帯型電池１５のＤＣ電圧がＤＣ／ＡＣ変換器１７で、再びＡＣ電圧に変換され、このＡＣ電圧が出力配線３、プラグ７を介して、自動車８のコンセント９に供給され、自動車８内において、自動車用電池（図示せず）の充電が行われるようになっているのである。
【００２３】
このような、自動車用電池（図示せず）の充電制御は、充電制御部１８によって行われるようになっている。
【００２４】
すなわち、図１のごとく、携帯型車両用充電装置のプラグ４を、スーパーマーケット５の駐車場に設けたコンセント６に差し込み、携帯型車両用充電装置のプラグ７を、自動車８のコンセント９に差し込んだ状態（図４のＳ１）で、操作ボタン１４で充電操作すればＩＦ制御部１９により、ＰＬＣ通信制御部２０が起動される。
【００２５】
その結果、スーパーマーケット５の制御装置１２から、例えば、スーパーマーケット５の特売情報が、コンセント６、プラグ４、入力配線２を介し、ＰＬＣ通信によってメモリ２１に取り込まれる（図４のＳ２、Ｓ３）。
【００２６】
次に、操作ボタン１４でプロジェクタ１３への投影情報を選択する。
【００２７】
この、操作ボタン１４による投影情報の選択は、前記メモリ２１に取り込まれたスーパーマーケット５の特売情報、故障車、点滅から選択されるようになっており、今回の自動車用電池（図示せず）への充電時には、メモリ２１に取り込まれたスーパーマーケット５の特売情報を選択する（図５のＳ４、Ｓ５）。
【００２８】
その結果、このメモリ２１からプロジェクタ１３に、前記スーパーマーケット５の特売情報が出力され（図５のＳ６）、前記駐車場のスクリーンに映像が映し出される（図５のＳ７）。
【００２９】
そして、このように、前記スーパーマーケット５の特売情報が、メモリ２１からプロジェクタ１３に出力されると、充電制御部１８は、ＡＣ／ＤＣ変換器１６とＤＣ／ＡＣ変換器１７が駆動され、これによって自動車用電池（図示せず）の充電が開始される。
【００３０】
なお、ＡＣ／ＤＣ変換器１６と入力配線２間には、ＡＣ／ＤＣ変換器１６によるＡＣ／ＤＣ変換時のノイズが、入力配線２を介して電力配線１１に影響を与えないように、フィルタ２２を設けている。
【００３１】
図６は携帯型車両用充電装置の他の使用例を示しており、この携帯型車両用充電装置は前述のごとく、本体ケース１内に大容量の携帯型電池１５を備えているので、例えば自動車８の故障時には、操作ボタン１４により故障車を選択し、点滅路面に向けて故障車情報を投影したり、操作ボタン１４により点滅を選択し、点滅を行わせたりすることもできる。
【００３２】
もちろん、本体ケース１内に大容量の携帯型電池１５を備えているので、例えば、屋外で、プロジェクタ１３による映写を行うこともできる。
【００３３】
以上のごとく、本実施形態においては、前記ＰＬＣ通信制御部２０によって、前記入力配線２を介して入信した情報を、前記プロジェクタ１３に出力後、前記出力配線３側に充電電流を供給する構成としたものである。
【００３４】
そして、このようにすれば、スーパーマーケット５では、自動車用電池（図示せず）の充電利用者に、特売情報などを、確認いただくことができるようになるので、充電ステーションを積極的に増設することにもつながり、この結果として電気自動車利用者の利便性を良くすることができることになる。
【産業上の利用可能性】
【００３５】
以上のように本発明は、本体ケースと、この本体ケース内に設けた充電制御部と、この充電制御部の電源側に接続した入力配線と、前記充電制御部の出力側に接続した出力配線とを備え、前記充電制御部に、表示部と、ＰＬＣ通信制御部とを接続し、この充電制御部は、前記ＰＬＣ通信制御部によって、前記入力配線を介して入信した情報を、前記表示部に出力後、前記出力配線に充電電流を供給する構成としたものであるので、電気自動車利用者の利便性を良くすることができる。
【００３６】
すなわち、本発明における充電制御部は、前記ＰＬＣ通信制御部によって、前記入力配線を介して入信した情報を、前記表示部に出力後、前記出力配線に充電電流を供給する構成としたものであるので、充電ステーション利用者に、各種情報を確認いただくことができるようになる。
【００３７】
このため、例えばスーパーマーケットやその他の商店では、販促データ（例えば特売情報等）を確実に確認いただくことができるようになるので、充電ステーションを積極的に増設することにもつながり、この結果として電気自動車利用者の利便性を良くすることができることになる。
【００３８】
したがって、携帯型車両用充電装置として、広く活用が期待される。
【符号の説明】
【００３９】
１    本体ケース
２    入力配線
３    出力配線
４    プラグ
５    スーパーマーケット
６    コンセント
７    プラグ
８    自動車
９    コンセント
１０    駐車場
１１    電力配線
１２    制御装置
１３    プロジェクタ
１４    操作ボタン
１５    携帯型電池
１６    ＡＣ／ＤＣ変換器
１７    ＤＣ／ＡＣ変換器
１８    充電制御部
１９    ＩＦ制御部
２０    ＰＬＣ通信制御部
２１    メモリ
２２    フィルタ
【図１】
2012044342.tif 000003
【図２】
2012044342.tif 000004
【図３】
2012044342.tif 000005
【図４】
2012044342.tif 000006
【図５】
2012044342.tif 000007
【図６】
2012044342.tif 000008